(57)【要約】【課題】ウェットシートを乾燥させることなく封止すると共に、次のシートに指で触れずに済むウェットシートケースを提供する。【解決手段】ウェットシートケース１から蓋部７を外して、開口部６を介して小空間部１２に手指を入れ、ウェットシートＳの引出片Ｓａを摘んで、開口部６を介して、ウェットシートケース１の外部へと引き出す。これにより、この引き出したウェットシートに追従して、次のウェットシートの引出片Ｓａが途中まで引き出されることが繰り返される。このとき、引出片Ｓａは十分な高さを有する小空間部１２内に収容され、開口部６よりも上部に引き出されないので手指に触れることはない。この状態で蓋部７により開口部６を閉止し密閉する。【選択図】図３
2020029269.tif 000002
【特許請求の範囲】
【請求項１】
下端に底部を取り付け可能な収納部を有し、ウェットシートパックを前記収納部に収納し、該ウェットシートパックから１枚ずつウェットシートを引き出すウェットシートケースであって、
前記収納部は前記ウェットシートパックを収納できる大空間部と、前記ウェットシートパックから引き出される途中の前記ウェットシートの引出片の形状を保持したまま収容できる小空間部とを備えていることを特徴とするウェットシートケース。
【請求項２】
前記小空間部の開口部を閉止する蓋部が設けられていることを特徴とする請求項１に記載のウェットシートケース。
【請求項３】
前記収納部には前記底部と対向する天井部が設けられており、
該天井部の中央部から上方又は下方に向けて筒部が設けられており、
前記底部の上面と前記天井部の下面とにより前記大空間部が区画され、前記筒部と前記開口部とにより前記小空間部が区画されていることを特徴とする請求項２に記載のウェットシートケース。
【請求項４】
前記筒部は各水平断面における面積が下側から上側に向うにつれ大きくなるようなテーパ状とされていることを特徴とする請求項３に記載のウェットシートケース。
【請求項５】
前記収納部の上方に、人形形状をなす部分を装飾部として備えることを特徴とする請求項１〜４の何れか１項に記載のウェットシートケース。
【発明の詳細な説明】
【技術分野】
【０００１】
本発明は、多数枚のウェットシートを収納し、必要に応じて引き出して使用するウェットシートケースに関するものである。
【背景技術】
【０００２】
例えば、不織布の繊維間に洗浄液を含有するウェットシートは、１枚ずつ引き出すことができるように積層され、又は巻回されている。ウェットシートはこのように束とされた上で、フィルム等から成るパック内に収納され消費者に提供されている。
【０００３】
ウェットシートをウェットシートケース内に収納して引き出す際には、ウェットシートパックの上部の封止されている取出口を開き、この取出口からウェットシートを１枚ずつ摘み出す。ウェットシートを摘み出した後は、次に使用するまでの間に内部のウェットシートが乾燥することを防止するために、取出口を再封止する必要がある。
【０００４】
そこで、このようなウェットシートパックを収納することができるウェットシートケースとして、例えば特許文献１に示すような取出容器が提案されている。
【０００５】
この特許文献１の取出容器は、天井板に穿けた取出口と、その周囲に形成されたリブと、このリブと嵌合する皿状嵌合子を有する上蓋とを備え、ウェットシートの取り出し後には取出口を封止することによって、内部のウェットシートの乾燥を防止できるようになっている。
【先行技術文献】
【特許文献】
【０００６】
【特許文献１】実公昭５７−５７０２４号公報
【発明の概要】
【発明が解決しようとする課題】
【０００７】
しかし、従来のこの種の取出容器には、次のような課題が存在する。つまり、最初のウェットシートを摘み出すと、これに追従して次のウェットシートの一部が途中まで引き出されるが、従来の取出容器においては、この引き出された次のウェットシートが、取出口を再封止する際に、リブと皿状嵌合子との間に挟まれ、完全な密封を妨げる原因となってしまう。
【０００８】
このため、使用者は取出口を再封止するに当たり、引き出された次のウェットシートを取出容器の内部へと押し込む必要がある。このとき、使用者の指に細菌が付着していると、細菌が押し込むべきウェットシートに付着し、ウェットシートケースの内部で増殖する虞れがある。
【０００９】
本発明の目的は、上述の課題を解消し、ウェットシートを乾燥させることなく封止すると共に、次のウェットシートに指で触れずに済むウェットシートケースを提供することにある。
【課題を解決するための手段】
【００１０】
上述の目的を達成するための本発明に係るウェットシートケースは、下端に底部を取り付け可能な収納部を有し、ウェットシートパックを前記収納部に収納し、該ウェットシートパックから１枚ずつウェットシートを引き出すウェットシートケースであって、前記収納部は前記ウェットシートパックを収納できる大空間部と、前記ウェットシートパックから引き出される途中の前記ウェットシートの引出片の形状を保持したまま収容できる小空間部とを備えていることを特徴とする。
【発明の効果】
【００１１】
本発明によるウェットシートケースによれば、内部のウェットシートを乾燥させることなく、かつ引き出された次のウェットシートをケース内部へと手指で押し込む必要がなく、衛生的である。
【図面の簡単な説明】
【００１２】
【図１】実施例１の前方から見た状態のウェットシートケースの斜視図である。
【図２】後方から見た状態の分解斜視図である。
【図３】ウェットシートケースの縦断面図である。
【図４】横断面図である。
【図５】実施例２のウェットシートケースの縦断面図である。
【図６】横断面図である。
【発明を実施するための形態】
【００１３】
本発明を図示の実施例に基づいて詳細に説明する。
【実施例１】
【００１４】
図１は実施例１の前方から見た状態のウェットシートケース１の斜視図であり、図２は後方から見た状態の分解斜視図である。このウェットシートケース１では、ウェットシートパックＰを内部に収納し、ウェットシートパックＰ内に収納されているウェットシートＳを１枚ずつ引き出すようになっている。
【００１５】
なお、ウェットシートパックＰ内のウェットシートＳは、殺菌液等を含浸させた不織布シートを積層した積層体とされているが、殺菌液等を含浸させた不織布シートから成る巻物体の円柱状等であってもよい。
【００１６】
ウェットシートケース１は、人形Ｆによる上半身及びこの上半身に連続するスカート部を模した表面を有する装飾部２と、この装飾部２と周辺において連結され、ウェットシートパックＰを収納し底面が開放された筐体状の収納部３と、この収納部３の下端に取り付ける底部４とから構成されている。
【００１７】
収納部３の下端を底部４に設けた溝部５に押し込むことで、底部４を収納部３に取付け可能としている。また、装飾部２には開口部６が形成され、この開口部６を蓋部７が覆うようにされている。
【００１８】
装飾部２、収納部３は合成樹脂、金属、陶器、ゴム材、その他の適当な剛性を有する材料により形成されており、底部４は合成樹脂、ゴム材等の収納部３に取り付け易い素材で形成されている。この底部４は板状体であり、形状及び大きさは、その上面にウェットシートパックＰを載置できるようになっている。
【００１９】
図３はウェットシートケース１の人形Ｆを除く縦断面図を示しており、図４は横断面図を示している。収納部３の上部には、底部４と上下に対向する天井部８が設けられ、天井部８の中央部にウェットシートＳを引き出すための上方に向けて拡開する筒部９が設けられている。筒部９の上端は装飾部２に連結され、人形Ｆの後方に設けられた開口部６とされている。
【００２０】
この開口部６には、取外し可能な蓋部７又は蝶番やヒンジ等により連結された蓋部７が装飾部２の一部として嵌合可能とされており、開口部６に蓋部７を嵌め込むことで内部を封止することができるようにされ、内部のウェットシートＳが乾燥しないように、蓋部７は開口部６を気密に封止できることが好ましい。
【００２１】
また、蓋部７を嵌め込んだ際に、蓋部７は装飾部２の一部となって、外観上、目立たないようにされている。なお、収納部３の一部から支持部１０が突出され、装飾部２に連結され、収納部３により装飾部２が保持されている。
【００２２】
収納部３の天井部８は、底部４から所定の高さを隔てた上方にあって、底部４と対向する板状の部分である。その平面視における周囲形状は、底部４と同一の形状又はこれと相似する形状とされている。筒部９の下部は天井部８の中央部において天井部８に連結されており、筒部９の周壁部は補強のために肉厚とすることが好適である。
【００２３】
なお、実施例においては、収納部３に別体の底部４を連結可能としているが、予め収納部３の周壁と底部４と一体に成形しておき、これらに装飾部２、天井部８、筒部９を連結可能とする構成としてもよい。このとき、これらを取り外し可能に連結するためには、例えば一方に凸状のリブ部を設け、他方に凹状の溝部を設け、これらを嵌合することにより連結すればよい。
【００２４】
底部４の上面と天井部８の下面とにより区画される大空間部１１には、ウェットシートパックＰが収納される。なお、大空間部１１の形状及び大きさは、ウェットシートパックＰを収納することができるものであればよい。
【００２５】
また、筒部９内は小空間部１２とされ、この小空間部１２は筒部９の内面と蓋部７とにより区画される空間である。ここには次に引き出されるウェットシートＳの引き出し途中の引出片Ｓａを収容可能とされている。
【００２６】
この引き出し途中の引出片Ｓａは、最上層のウェットシートＳを引き出す際に、連動して引き出される部分であり、引き出し途中の引出片Ｓａの形状を保持したまま小空間部１２に収容されることになる。そして、大空間部１１は小空間部１２に連通しており、小空間部１２は開口部６に連通している。
【００２７】
筒部９の下部の形状及び大きさは、ウェットシートパックＰを通さないが、ウェットシートＳを通すものであればよく、例えば断面形状円形や多角形であってもよい。また、その他の形状であってもウェットシートＳを一時的に保持し得るものとしてもよい。
【００２８】
また、筒部９の外面は天井部８とのなす角が垂直をなすように延出してもよく、鋭角をなすように延出することが好ましい。ただし、これが鈍角をなすように延出すると、筒部９の先端において形成される開口部６が狭くなり、ウェットシートを摘み難くなる。
【００２９】
開口部６の形状及び大きさは、ウェットシートパックＰを通さないが、ウェットシートＳを通すものであればよく、実施例においては楕円形としているが、例えば円形や多角形であってもよい。また、ウェットシートＳを摘み出し易くするために、開口部６の開口部面積が筒部９の下部の開口部面積よりも広いことが好ましい。
【００３０】
小空間部１２つまり筒部９の高さは、ウェットシートＳから引き出される途中のウェットシートＳの引出片Ｓａを形状を保持したまま収容可能な程度の大きさであればよく、例えば２ｃｍ程度が好適である。更に、小空間部１２はその各水平断面における面積が下側から上側にかけて大きくなるようにテーパ状とすることが好ましい。
【００３１】
このウェットシートケース１は、従来のウェットシートケースにはない小空間部１２が存在するため、この特長を利用して、装飾部２は図示するように例えば人形Ｆを含む部分を備え、美観に優れるものとすることができる。
【００３２】
ウェットシートパックＰをウェットシートケース１内に入れる際には、先ずウェットシートケース１から底部４を取り外し、この取り外した底部４の上面に、ウェットシートパックＰを載置する。このとき、ウェットシートパックＰのウェットシートＳの取出口を封止している剥離片は取り除き、最上層のウェットシートＳを引き出して引出片Ｓａを突出させておく。
【００３３】
その後に、載置したウェットシートパックＰを収納部３の大空間部１１に入れ、ウェットシートＳの引出片Ｓａは小空間部１２内に収容しておく。続いて、収納部３の下端を底部４の溝部５に押し込み、底部４を収納部３に固定する。
【００３４】
ウェットシートＳを使用する場合には、ウェットシートケース１から蓋部７を外して、開口部６を介して小空間部１２に手指を入れ、ウェットシートＳの引出片Ｓａを摘んで、開口部６を通して、ウェットシートケース１の外部へと引き出す。これにより、この引き出した最初のウェットシートＳに追従して、次のウェットシートＳの引出片Ｓａが途中まで引き出されることが繰り返される。このとき、引出片Ｓａは十分な高さを有する小空間部１２内に収納されるため、開口部６よりも上部に引き出されることはない。従って、この状態で蓋部７により開口部６を閉止し密閉する。
【実施例２】
【００３５】
図５、図６は実施例２の断面図であり、実施例１と同一の符号は同一の部材を示している。
【００３６】
ウェットシートケース１の収納部３の天井部８は、装飾部２の一部の壁部と一体化されており、筒部９は天井部８に設けられた開口部６の周縁から、大空間部１１内に吊り下げられる、つまり天井部８の中央部から下方に向けて筒部９が設けられていることになる。
【００３７】
また、図５、図６に示すウェットシートケースには、実施例１のウェットシートケースの収納部３の一部から突出する支持部１０を設けていないが装飾部２のスカート部に可撓性を備えたい場合等は支持部１０を省略することも可能である。
【００３８】
以上のことから本発明に係るウェットシートケースを用いることで、蓋部７により開口部６を再封止するに当たって、次に引き出されるウェットシートＳの引き出し途中の引出片Ｓａの形状を保持したまま小空間部１２に収容することが可能となる。
【００３９】
使用者は手指で引き出し途中の引出片ＳａをウェットシートパックＰ内へ押し込む必要がないので、使用者が持つ細菌等が次のウェットシートＳに付着することもなく、衛生的である。
【００４０】
また、蓋部７の裏面もウェットシートＳに当接することもないので、蓋部７の裏面に付着した細菌等が次のウェットシートＳに付着することもない。
【符号の説明】
【００４１】
１  ウェットシートケース
２  装飾部
３  収納部
４  底部
６  開口部
７  蓋部
８  天井部
９  筒部
１１  大空間部
１２  小空間部
Ｆ  人形
Ｐ  ウェットシートパック
Ｓ  ウェットシート
Ｓａ  引出片
【図１】
2020029269.tif 000003
【図２】
2020029269.tif 000004
【図３】
2020029269.tif 000005
【図４】
2020029269.tif 000006
【図５】
2020029269.tif 000007
【図６】
2020029269.tif 000008